【手続補正書】
【提出日】平成21年11月5日(2009.11.5)
【手続補正１】
【補正対象書類名】明細書
【補正対象項目名】特許請求の範囲
【補正方法】変更
【補正の内容】
【特許請求の範囲】
【請求項１】 ＣＴイメージング・システム（１０）を利用して患者（２２）の心臓を画像化するための方法であって、患者の心臓の代表的心拍周期（５２）の時相（８８、９０）に対してスキャン優先度を割り当てるステップと、前記割り当てしたスキャン優先度に従って、スキャンをする心拍周期の時相を選択するステップと、前記選択した心拍周期の時相に対応する患者の心臓の画像スライスを取得するステップと、
患者の心臓の代表的心拍周期（５２）の時相（８８、９０）に対してスキャン優先度を割り当てる前記ステップが、ベースライン（５４、５６、５８）容積からの心臓容積距離に従ってスキャン優先度を割り当てるステップとを含む方法。
【請求項２】 さらに、患者の心臓のＥＫＧデータを取得するステップを含むと共に、ベースライン（５４、５６、５８）容積からの心臓容積距離に従ってスキャン優先度を割り当てる前記ステップが、前記ＥＫＧデータにより指示される心臓容積に従って心臓容積の極大値（６０、６２、６４、６６、６８）及び極小値（７０、７２、７４、７６）に対して優先度を割り当てるステップを含む請求項１に記載の方法。
【請求項３】 患者の心臓のＥＫＧデータを取得する前記ステップが、患者の心臓の複数の全心拍周期を記録するステップと、前記複数の全心拍周期を利用して患者の心臓の代表的心拍周期（５２）を計算するステップとを含む請求項３に記載の方法。
【請求項４】 代表的心拍周期（５２）を計算する前記ステップが、前記複数の全心拍周期を平均するステップを含む請求項３に記載の方法。
【請求項５】 患者の心臓の画像スライスを取得する前記ステップが、患者の心臓に対するシネスキャンを実行するステップを含む請求項２に記載の方法。
【請求項６】 患者の心臓の代表的心拍周期（５２）の時相（８８、９０）に対してスキャン優先度を割り当てる前記ステップが、ベースライン（５４、５６、５８）容積からの心臓容積距離に従うと共に、前記心臓データの時間的かつ空間的な傾斜に従ってスキャン優先度を割り当てるステップを含む請求項２に記載の方法。
【請求項７】 さらに、スキャンのための追加時相を選択するために、前記選択した時相（８８、９０）の少なくとも一対の間で補間を行うステップを含む請求項７に記載の方法。
【請求項８】 さらに、時間的かつ空間的なノイズを減少させるように選択した基準に従って、前記ＥＫＧデータをフィルタ処理するステップを含む請求項３に記載の方法。
【請求項９】 前記選択した時相（８８、９０）の少なくとも１つが患者の心臓のベースライン（５４、５６、５８）容積に対応する時相である請求項３に記載の方法。
【請求項１０】 さらに、データを動画の画像フレームとして表示するステップを含むと共に、各時相Ｐn を表示するための同一フレームの数Ｆが次式で表される請求項１に記載の方法。
Ｆ＝（Ｐｏｓ（Ｐｎ＋１）−Ｐｏｓ（Ｐｎ））×ＦＲ上式において、Ｆ＝時相ｎを表示する時相数、Ｐｎ＝時相ｎ、Ｐｏｓ（Ｐｎ）＝時相ｎの時間的位置、ＦＲ＝表示フレームレート、である。
【請求項１１】 データを動画の画像フレームとして表示する前記ステップが、１つの画像スライスから構成されるフレームを表示するステップを含む請求項１０に記載の方法。
【請求項１２】 データを動画の画像フレームとして表示する前記ステップが、患者の心拍周期（５２）の単一時相において異なる面を表している複数の画像スライスを含んでいるフレームを表示するステップを含む請求項１０に記載の方法。
【請求項１３】 放射線源（１４）と、画像作成面において患者の周りを回転するように構成されると共に、投射され患者の心臓を透過するＸ線（１６）を検知するように構成されている検出器（１８）とを含んでいて、患者（２２）の心臓を画像化するＣＴイメージング・システム（１０）であって、患者の心臓の代表的心拍周期（５２）の時相（８８、９０）に対してスキャン優先度を割り当て、前記割り当てしたスキャン優先度に従って、スキャンをする心拍周期の時相を選択し、前記選択した心拍周期の時相に対応する患者の心臓の画像スライスを取得するように構成されており、
患者の心臓の代表的心拍周期（５２）の時相（８８、９０）に対してスキャン優先度を割り当てるように前記システムが構成されることが、ベースライン（５４、５６、５８）容積からの心臓容積距離に従ってスキャン優先度を割り当てるように前記システムが構成されていることを含む、ＣＴイメージング・システム（１０）。
【請求項１４】 前記システムがさらに、患者の心臓のＥＫＧデータを取得するように構成されており、前記システムがベースライン（５４、５６、５８）容積からの心臓容積距離に従ってスキャン優先度を割り当てるように構成されていることが、前記システムが前記ＥＫＧデータにより指示される心臓容積に従って心臓容積の極大値（６０、６２、６４、６６、６８）及び極小値（７０、７２、７４、７６）に対して優先度を割り当てるように構成されていることを含む請求項１３に記載のシステム（１０）。
【請求項１５】 前記システムが患者の心臓のＥＫＧデータを取得するように構成されていることが、前記システムが患者の心臓の複数の全心拍周期を記録し、前記複数の全心拍周期を利用して患者の心臓の代表的心拍周期（５２）を計算するように構成されていることを含む請求項１４に記載のシステム（１０）。
【請求項１６】 前記システムが代表的心拍周期（５２）を計算するように構成されていることが、前記システムが前記複数の全心拍周期を平均するように構成されていることを含む請求項１５に記載のシステム（１０）。
【請求項１７】 前記システムが患者の心臓の画像スライスを取得するように構成されていることが、前記システムが患者の心臓に対するシネスキャンを実行するように構成されていることを含む請求項１４に記載のシステム（１０）。
【請求項１８】 前記システムが患者の心臓の代表的心拍周期（５２）の時相（８８、９０）に対してスキャン優先度を割り当てるように構成されていることが、前記システムがベースライン（５４、５６、５８）容積からの心臓容積距離に従うと共に、前記心臓データの時間的かつ空間的な傾斜に従ってスキャン優先度を割り当てるように構成されていることを含む請求項１４に記載のシステム（１０）。
【請求項１９】 前記システムがさらに、スキャンのための追加時相を選択するために、前記選択した時相の少なくとも一対の間で補間を行うように構成されている請求項１８に記載のシステム（１０）。
【請求項２０】 さらに、時間的かつ空間的なノイズを減少させるように選択した基準に従って、前記ＥＫＧデータをフィルタ処理するように構成されている請求項１６に記載のシステム（１０）。
【請求項２１】 前記選択した時相（８８、９０）の少なくとも１つが患者の心臓のベースライン（５４、５６、５８）容積に対応する時相である請求項１４に記載のシステム（１０）。
【請求項２２】 前記システムがさらに、データを動画の画像フレームとして表示するように構成されると共に、各時相Ｐｎを表示するための同一フレームの数Ｆが次式で表される請求項１３に記載のシステム（１０）。
Ｆ＝（Ｐｏｓ（Ｐｎ＋１）−Ｐｏｓ（Ｐｎ））×ＦＲ上式において、Ｆ＝時相ｎを表示する時相数、Ｐｎ＝時相ｎ、Ｐｏｓ（Ｐｎ）＝時相ｎの時間的位置、ＦＲ＝表示フレームレート、である。
【請求項２３】 前記システムがデータを動画の画像フレームとして表示するように構成されていることが、前記システムが１つの画像スライスから構成されるフレームを表示するように構成されていることを含む請求項２２に記載のシステム（１０）。
【請求項２４】 前記システムがデータを動画の画像フレームとして表示するように構成されていることが、前記システムが患者の心拍周期（５２）の単一時相（８８、９２）において異なる面を表している複数の画像スライスを含んでいるフレームを表示するように構成されていることを含む請求項２２に記載のシステム（１０）。